(57)【要約】【課題】所定の光路に対する光源およびアパーチャーの位置精度、並びに前記光源とアパーチャーとの相対的な位置精度が安定して維持された画像読取装置、およびこれを用いた画像形成装置を提供する。【解決手段】読取ユニット２２４は、ハウジング本体６２と、照明ユニット５０と、ハウジング蓋部６１とを備える。照明ユニット５０は、主走査方向に沿って原稿シートに向かって光を照射する光源５０Ａを含み、ハウジング本体６２に固定される。ハウジング蓋部６１は、原稿シートによって反射された光が通過するアパーチャーＡＰの少なくとも一部を形成し、ハウジング本体６２に固定される。照明ユニット５０およびハウジング蓋部６１は、ハウジング本体６２の主走査方向の一端側および他端側に配置された一対の位置決め部においてそれぞれハウジング本体６２に固定される。【選択図】図６
2014232970.tif 000002
【特許請求の範囲】
【請求項１】
ハウジングと、
主走査方向に沿って所定の原稿シートに向かって光を照射する光源を含み、前記ハウジングに固定される光源ユニットと、
前記原稿シートによって反射された前記光が通過するアパーチャーの少なくとも一部を形成し、前記ハウジングに固定されるアパーチャー部材と、
前記アパーチャーを通過した前記光を反射させ、前記ハウジング内に所定の光路を形成する光学素子と、
前記光路上に配置され、前記光学素子によって反射された前記光を受光して、画像データとしての電気信号に変換する撮像素子と、を有し、
前記ハウジングは、前記主走査方向の一端側および他端側に配置された一対の位置決め部を備え、
前記光源ユニットおよび前記アパーチャー部材が、それぞれ前記位置決め部において前記ハウジングに固定されることで、前記光路に対する前記光源および前記アパーチャーの位置が規制されることを特徴とする画像読取装置。
【請求項２】
前記位置決め部は、前記一端側および前記他端側において前記ハウジングから突設された一対の円筒部材であり、
前記光源ユニットは、内周部と外周部とを含み、前記一端側および前記他端側に配置される一対の円筒状の規制部を備え、
前記アパーチャー部材は、前記一端側および前記他端側に配置される一対の孔部を備え、
前記規制部の前記内周部が前記円筒部材に外嵌され、前記孔部が前記規制部の前記外周部に外嵌されることによって、前記光源ユニットおよび前記アパーチャー部材が前記ハウジングに固定されることを特徴とする請求項１に記載の画像読取装置。
【請求項３】
前記ハウジングは、上部が開放された形状を備え、
前記ハウジングの前記上部に装着され、前記主走査方向に沿って延設される端縁を含む蓋部材を更に備え、
前記光源ユニットは上方に向かって前記光を照射し、前記原稿シートによって反射された前記光は下方に向かって前記ハウジングの内部に入光し、
前記アパーチャー部材は前記蓋部材であり、前記アパーチャーの少なくとも一部が前記端縁によって画定されることを特徴とする請求項１または２に記載の画像読取装置。
【請求項４】
前記光源は、
前記主走査方向に沿って延設され、前記光が前記原稿シートに向かって出射される出射面と、前記主走査方向の端部において前記主走査方向に面して形成された入射面とを含む導光体と、
前記導光体の前記入射面に光を入射させる発光素子と、
を備え、
前記光源ユニットは、前記導光体を支持し、かつ、前記主走査方向と交差する断面視において前記出射面の反対側で前記導光体を覆うフレーム部を備えることを特徴とする請求項１乃至３の何れか１項に記載の画像読取装置。
【請求項５】
前記光学素子は、前記光を反射する反射面を含むミラーであり、
前記ハウジングは、前記反射面が当接する当接部を含み、かつ、前記ミラーを支持する支持部を備え、
前記位置決め部は、上面部を備え、
前記主走査方向と交差する断面視において、前記位置決め部の前記上面部と前記位置決め部の円筒軸との交点を基準として、前記ハウジングにおける前記当接部の位置が規定されていることを特徴とする請求項２に記載の画像読取装置。
【請求項６】
予め基準となる原稿が備えられた調整治具に前記ハウジングが装着された状態で、前記光路に対する前記撮像素子の位置が調整され、
前記位置決め部は前記アパーチャー部材の前記孔部を介して前記ハウジングの外部に露出され、
前記調整治具に対する前記ハウジングの位置が、前記位置決め部によって規制されることを特徴とする請求項２に記載の画像読取装置。
【請求項７】
前記位置決め部は、軸方向の一端側が前記ハウジングの外部に開放された中空状の内部空間を備え、
前記調整治具から突設された位置決めピンが前記内部空間に挿入されることで、前記調整治具に対する前記ハウジングの位置が規制されることを特徴とする請求項６に記載の画像読取装置。
【請求項８】
筐体と、
前記筐体に配置され、前記原稿シートが配置される載置板と、
前記筐体の内部において、前記主走査方向と交差する副走査方向に移動可能な前記ハウジングと、
前記副走査方向に延設され、前記ハウジングの前記移動をガイドする軸部と、
を有し、
前記ハウジングは、
前記軸部を軸支する軸受部を含む第１ハウジングと、
前記光源ユニットおよび前記アパーチャー部材が固定され、前記一対の位置決め部のうちの一方を支点として、前記主走査方向および前記副走査方向を含む平面に沿って前記第１ハウジングに対して回動可能な第２ハウジングと、
を備え、
前記第２ハウジングの前記回動によって、前記主走査方向と前記副走査方向との直角度が調整可能なことを特徴とする請求項１に記載の画像読取装置。
【請求項９】
請求項１乃至８の何れか１項に記載の画像読取装置と、
前記画像読取装置から出力される画像データに基づいて、シートに画像を形成する画像形成部と、
を備えることを特徴とする画像形成装置。
【発明の詳細な説明】
【技術分野】
【０００１】
本発明は、画像を読み取る画像読取装置、並びに、これを備えた画像形成装置に関する。
【背景技術】
【０００２】
従来、画像を読み取る画像読取装置として、複写機などの画像形成装置に搭載されたものが知られている。前記画像読取装置は、照明装置と、光学素子と、ＣＣＤと、画像処理部とを備える。照明装置は、読取面に載置された原稿シートの画像を光学的に読み取るために、原稿シートに光を照射する。近年、この照明装置の光源として、発光効率が高いという利点があるＬＥＤ（Light Emitting Diode）が採用されるようになっている。このようなＬＥＤから発光され、原稿シートによって反射された照射光は、ミラーやレンズなどの光学素子を経由した後、ＣＣＤに入射される。ＣＣＤに入射された光は画像処理部おいてデジタル信号に変換され、原稿シートの画像がデータ化される。
【０００３】
特許文献１には、画像読取装置の照明装置が、所定のハウジングに収容された技術が開示されている。該照明装置は、隣接して配置された複数のＬＥＤを一体的に支持する支持部材と、ＬＥＤから照射された光を原稿シートに向けて拡散させる拡散部材とを備える。そして、支持部材および拡散部材は、ハウジングにおいて共通の位置決め穴によって位置決めされる。
【先行技術文献】
【特許文献】
【０００４】
【特許文献１】特開２００８―２１６４０９号公報
【発明の概要】
【発明が解決しようとする課題】
【０００５】
特許文献１に記載された照明装置では、原稿シートから反射された反射光は、ハウジングに開口されたアパーチャーを通過して、ハウジング内に入射される。そして、アパーチャーは、複数のＬＥＤを支持する前記支持部材によって形成される。このため、前記位置決め穴によってＬＥＤの位置が優先的に位置決めされると、アパーチャーの位置が変動し支持部材の一部が前記入射光を遮ってしまう場合がある。
【０００６】
本発明は、上記の事情に鑑みてなされたものであり、所定の光路に対する光源およびアパーチャーの位置精度、並びに前記光源とアパーチャーとの相対的な位置精度が安定して維持された画像読取装置、およびこれを用いた画像形成装置を提供することを目的とする。
【課題を解決するための手段】
【０００７】
本発明の一の局面に係る画像読取装置は、ハウジングと、主走査方向に沿って所定の原稿シートに向かって光を照射する光源を含み、前記ハウジングに固定される光源ユニットと、前記原稿シートによって反射された前記光が通過するアパーチャーの少なくとも一部を形成し、前記ハウジングに固定されるアパーチャー部材と、前記アパーチャーを通過した前記光を反射させ、前記ハウジング内に所定の光路を形成する光学素子と、前記光路上に配置され、前記光学素子によって反射された前記光を受光して電気信号に変換する撮像素子と、を有し、前記ハウジングは、前記主走査方向の一端側および他端側に配置された一対の位置決め部を備え、前記光源ユニットおよび前記アパーチャー部材が、それぞれ前記位置決め部において前記ハウジングに固定されることで、前記光路に対する前記光源および前記アパーチャーの位置が規制されることを特徴とする。
【０００８】
本構成によれば、光源ユニットは光を照射する光源を含み、ハウジングに固定される。また、アパーチャー部材はハウジングに固定され、前記光が通過するアパーチャーの少なくとも一部を形成する。ハウジングは、主走査方向に沿って一対の位置決め部を備える。そして、光源ユニットおよびアパーチャー部材は、それぞれ位置決め部においてハウジングに固定される。この結果、前記光の光路に対する光源およびアパーチャーの位置が規制される。したがって、光源およびアパーチャーが共通の位置決め部において位置決めされるため、光源とアパーチャーとの相対的な位置精度が安定して維持される。また、光源およびアパーチャーが同じ部材に支持される場合と比較して、光源およびアパーチャーのうちの一方の位置決めが優先され他方の位置精度が悪化することが抑制される。したがって、所定の光路に対する光源およびアパーチャーのそれぞれの位置精度が安定して維持される。
【０００９】
上記の構成において、前記位置決め部は、前記一端側および前記他端側において前記ハウジングから突設された一対の円筒部材であり、前記光源ユニットは、内周部と外周部とを含み、前記一端側および前記他端側に配置される一対の円筒状の規制部を備え、前記アパーチャー部材は、前記一端側および前記他端側に配置される一対の孔部を備え、前記規制部の前記内周部が前記円筒部材に外嵌され、前記孔部が前記規制部の前記外周部に外嵌されることによって、前記光源ユニットおよび前記アパーチャー部材が前記ハウジングに固定されることが望ましい。
【００１０】
本構成によれば、規制部が円筒部材に外嵌され、孔部が規制部に外嵌されることによって、光源ユニットおよびアパーチャー部材がハウジングに固定される。このため、光学ユニットおよびアパーチャー部材の簡易な構成によって、光源およびアパーチャーが共通の位置決め部においてハウジングに対して位置決めされる。また、一対の円筒部材、規制部および孔部が、それぞれ同軸上に配置されるため、光源およびアパーチャーの位置精度が好適に向上される。
【００１１】
上記の構成において、前記ハウジングは、上部が開放された形状を備え、前記ハウジングの前記上部に装着され、前記主走査方向に沿って延設される端縁を含む蓋部材を更に備え、前記光源ユニットは上方に向かって前記光を照射し、前記原稿シートによって反射された前記光は下方に向かって前記ハウジングの内部に入光し、前記アパーチャー部材は前記蓋部材であり、前記アパーチャーの少なくとも一部が前記端縁によって画定されることが望ましい。
【００１２】
本構成によれば、ハウジングの蓋部材がアパーチャー部材の機能を兼ねることができる。
【００１３】
上記の構成において、前記光源は、前記主走査方向に沿って延設され、前記光が前記原稿シートに向かって出射される出射面と、前記主走査方向の端部において前記主走査方向に面して形成された入射面とを含む導光体と、前記導光体の前記入射面に光を入射させる発光素子と、を備え、前記光源ユニットは、前記導光体を支持し、かつ、前記主走査方向と交差する断面視において前記出射面の反対側で前記導光体を覆うフレーム部を備えることが望ましい。
【００１４】
本構成によれば、導光体の端部に配置された発光素子の光が、導光体の出射面から主走査方向に沿って出射される。また、入射面から導光体の内部に進入した光を出射面に向かって反射させることができる。
【００１５】
上記の構成において、前記光学素子は、前記光を反射する反射面を含むミラーであり、前記ハウジングは、前記反射面が当接する当接部を含み、かつ、前記ミラーを支持する支持部を備え、前記位置決め部は上面部を備え、前記主走査方向と交差する断面視において、前記位置決め部の前記上面部と前記位置決め部の円筒軸との交点を基準として、前記ハウジングにおける前記当接部の位置が規定されていることが望ましい。
【００１６】
本構成によれば、ハウジングに対する光源ユニットおよびアパーチャー部材の位置を規制する位置決め部を利用して、ミラーのハウジングに対する位置決めを実現することができる。この結果、前記光路に対するミラーの位置が安定して維持される。また、光源、アパーチャーおよびミラーの相対的な位置精度が安定して維持される。
【００１７】
上記の構成において、予め基準となる原稿が備えられた調整治具に前記ハウジングが装着された状態で、前記光路に対する前記撮像素子の位置が調整され、前記位置決め部は前記アパーチャー部材の前記孔部を介して前記ハウジングの外部に露出され、前記調整治具に対する前記ハウジングの位置が、前記位置決め部によって規制されることが望ましい。
【００１８】
本構成によれば、ハウジングに対する光源ユニットおよびアパーチャー部材の位置を規制する位置決め部を利用して、調整治具に対するハウジングの位置決めを実現することができる。このため、前記光路に対する撮像素子の位置が安定して調整される。また、光源、アパーチャーおよび撮像素子の相対的な位置精度が安定して維持される。
【００１９】
上記の構成において、前記位置決め部は、軸方向の一端側が前記ハウジングの外部に開放された中空状の内部空間を備え、前記調整治具から突設された位置決めピンが前記内部空間に挿入されることで、前記調整治具に対する前記ハウジングの位置が規制されることが望ましい。
【００２０】
本構成によれば、調整治具の位置決めピンが位置決め部の内部空間に挿入されることで、調整治具に対するハウジングの位置が規制される。そして、円筒部材、規制部、孔部および位置決めピンが同軸上に配置される。この結果、前記光路に対する撮像素子の位置が更に安定して調整される。また、光源、アパーチャーおよび撮像素子の相対的な位置精度が更に安定して維持される。
【００２１】
上記の構成において、筐体と、前記筐体に配置され、前記原稿シートが載置される載置板と、前記筐体の内部において、前記主走査方向と交差する副走査方向に移動可能な前記ハウジングと、前記副走査方向に延設され、前記ハウジングの前記移動をガイドする軸部と、を有し、前記ハウジングは、前記軸部を軸支する軸受部を含む第１ハウジングと、前記光源ユニットおよび前記アパーチャー部材が固定され、前記一対の位置決め部のうちの一方を支点として、前記主走査方向および前記副走査方向を含む平面に沿って前記第１ハウジングに対して回動可能な第２ハウジングと、を備え、前記第２ハウジングの前記回動によって、前記主走査方向と前記副走査方向との直角度が調整可能なことが望ましい。
【００２２】
本構成によれば、ハウジングに対する光源ユニットおよびアパーチャー部材の位置を規制する位置決め部を利用して、画像読取装置の主走査方向と副走査方向との直角度を調整することができる。
【００２３】
本発明の他の局面に係る画像形成装置は、上記の何れか１に記載の画像読取装置と、前記画像読取装置から出力される画像データに基づいて、シートに画像を形成する画像形成部と、を備えることを特徴とする。
【００２４】
本構成によれば、光源およびアパーチャーが共通の位置決め部において位置決めされるため、光源とアパーチャーとの相対的な位置精度が安定して維持される。また、所定の光路に対する光源およびアパーチャーのそれぞれの位置精度が安定して維持される。この結果、画像読取装置から安定した画像データが出力され、シートに好適に画像が形成される。
【発明の効果】
【００２５】
本発明によれば、所定の光路に対する光源およびアパーチャーの位置精度、並びに前記光源とアパーチャーとの相対的な位置精度が安定して維持された画像読取装置、およびこれを用いた画像形成装置が提供される。
【図面の簡単な説明】
【００２６】
【図１】本発明の一実施形態に係る画像読取装置を含む画像形成装置の概略構成を示す断面図である。
【図２】本発明の一実施形態に係る照明ユニットの斜視図である。
【図３】本発明の一実施形態に係る読取ユニットの一部の分解斜視図である。
【図４】本発明の一実施形態に係る読取ユニットの一部の分解斜視図である。
【図５】本発明の一実施形態に係る読取ユニットの斜視図である。
【図６】本発明の一実施形態に係る読取ユニットの断面図である。
【図７】本発明の一実施形態に係る読取ユニットの一部の拡大断面図である。
【図８】本発明の一実施形態に係る読取ユニットの一部の拡大断面図である。
【図９】本発明の一実施形態に係る読取ユニットが治具調整に装着される様子を示す斜視図である。
【図１０】本発明の他の実施形態に係る読取ユニットの断面図である。
【発明を実施するための形態】
【００２７】
以下、図面に基づいて、本発明の実施形態につき詳細に説明する。図１は、本発明の一実施形態に係る画像読取装置２２を備えた画像形成装置１の内部構造を示す断面図である。ここでは、画像形成装置１として、いわゆる胴内排紙型の複写機を例示している。なお、本発明に係る画像読取装置２２が適用される装置は複写機に限られるものではなく、例えばスキャナー装置、ファクシミリ装置、或いは複合機であってもよい。
【００２８】
画像形成装置１は、略直方体形状の筐体構造を有し胴内空間（胴内排紙部２４）を備えた装置本体２を備える。装置本体２は、画像形成のための各種機器が収容される下部筐体２１と、下部筐体２１の上方に配設された上部筐体２２０と、下部筐体２１と上部筐体２２０とを連結する連結筐体２３とを含む。上部筐体２２０は、扁平状の略直方体形状からなる筐体である。上部筐体２２０には、画像読取装置２２が配置される。画像読取装置２２は、原稿シートの画像を光学的に読み取り、原稿画像に応じた画像データを生成する。下部筐体２１は、前記画像データに基づき、シートに対してトナー画像を形成する処理を行う。下部筐体２１と上部筐体２２０との間には、画像形成後のシートが排紙される胴内排紙部２４が設けられている。連結筐体２３は、装置本体２の右側面の側に配置され、胴内排紙部２４へシートを排出するための排出口９６１が設けられている。
【００２９】
下部筐体２１の内部には、上方から順に、トナーコンテナ９９Ｙ、９９Ｍ、９９Ｃ、９９Ｋ、中間転写ユニット９２、画像形成部９３、露光ユニット９４、及び給紙カセット２１１が収容されている。
【００３０】
画像形成部９３は、画像読取装置２２から出力される画像データに基づいて、シートに画像を形成する。画像形成部９３は、フルカラーのトナー像を形成するために、イエロー（Ｙ）、マゼンタ（Ｍ）、シアン（Ｃ）及びブラック（Ｂｋ）の各トナー像を形成する４つの画像形成ユニット１０Ｙ、１０Ｍ、１０Ｃ、１０Ｂｋを備える。各画像形成ユニット１０Ｙ、１０Ｍ、１０Ｃ、１０Ｂｋは、感光体ドラム１１と、この感光体ドラム１１の周囲に配置された、帯電器１２、現像装置１３、一次転写ローラー１４及びクリーニング装置１５とを含む。
【００３１】
感光体ドラム１１は、その軸回りに回転し、その周面に静電潜像及びトナー像が形成される。感光体ドラム１１としては、アモルファスシリコン（ａ−Ｓｉ）系材料を用いた感光体ドラムを用いることができる。帯電器１２は、感光体ドラム１１の表面を均一に帯電する。帯電後の感光体ドラム１１の周面は、露光ユニット９４によって露光され、静電潜像が形成される。
【００３２】
現像装置１３は、感光体ドラム１１上に形成された静電潜像を現像するために、感光体ドラム１１の周面にトナーを供給する。現像装置１３は、２成分現像剤用のものであり、攪拌ローラー１６、１７、磁気ローラー１８、及び現像ローラー１９を含む。攪拌ローラー１６、１７は、２成分現像剤を攪拌しながら循環搬送することで、トナーを帯電させる。磁気ローラー１８の周面には２成分現像剤層が担持され、現像ローラー１９の周面には、磁気ローラー１８と現像ローラー１９との間の電位差によってトナーが受け渡されることにより形成されたトナー層が担持される。現像ローラー１９上のトナーは、感光体ドラム１１の周面に供給され、前記静電潜像が現像される。
【００３３】
一次転写ローラー１４は、中間転写ユニット９２に備えられている中間転写ベルト９２１を挟んで感光体ドラム１１とニップ部を形成し、感光体ドラム１１上のトナー像を中間転写ベルト９２１上に一次転写する。クリーニング装置１５は、トナー像転写後の感光体ドラム１１の周面を清掃する。
【００３４】
イエロー用トナーコンテナ９９Ｙ、マゼンタ用トナーコンテナ９９Ｍ、シアン用トナーコンテナ９９Ｃ、及びブラック用トナーコンテナ９９Ｂｋは、それぞれ各色のトナーを貯留するものであり、ＹＭＣＢｋ各色に対応する画像形成ユニット１０Ｙ、１０Ｍ、１０Ｃ、１０Ｂｋの現像装置１３に、図略の供給経路を通して各色のトナーを供給する。
【００３５】
露光ユニット９４は、光源やポリゴンミラー、反射ミラー、偏向ミラーなどの各種の光学系機器を有し、画像形成ユニット１０Ｙ、１０Ｍ、１０Ｃ、１０Ｂｋの各々に設けられた感光体ドラム１１の周面に、原稿画像の画像データに基づく光を照射して、静電潜像を形成する。
【００３６】
中間転写ユニット９２は、中間転写ベルト９２１、駆動ローラー９２２及び従動ローラー９２３を備える。中間転写ベルト９２１上には、複数の感光体ドラム１１からトナー像が重ね塗りされる（一次転写）。重ね塗りされたトナー像は、給紙カセット２１１又は給紙トレイ３０から供給されるシートに、二次転写部９８において二次転写される。中間転写ベルト９２１を周回駆動させる駆動ローラー９２２及び従動ローラー９２３は、下部筐体２１によって回転自在に支持される。
【００３７】
給紙カセット２１１は、複数のシートが積層されてなるシート束を収納する。給紙カセット２１１の右端側の上部には、ピックアップローラ２１２が配置されている。ピックアップローラ２１２の駆動により、給紙カセット２１１内のシート束の最上層のシートが１枚ずつ繰り出され、搬入搬送路２６へ搬入される。なお、下部筐体２１の右側面には、手差し給紙用の給紙トレイ３０を備えた給紙ユニット４０が備えられている。給紙トレイ３０に載置されたシートは、給紙ユニット４０の給紙ローラー４１の駆動によって、搬入搬送路２６へ搬入される。
【００３８】
搬入搬送路２６の下流側には、二次転写部９８、後述する定着ユニット９７及び排紙ユニット９６を経由して排出口９６１まで延びるシート搬送路２８が設けられている。シート搬送路２８の上流部分は、下部筐体２１に形成された内壁と、反転搬送ユニット２９の内側面を形成する内壁との間に形成されている。なお、反転搬送ユニット２９の外側面は、両面印刷の際にシートを反転搬送する反転搬送路２９１の片面を構成している。シート搬送路２８の、二次転写部９８よりも上流側にはレジストローラ対２７が配置されている。シートは、レジストローラ対２７にて一旦停止され、スキュー矯正が行われた後、画像転写のための所定のタイミングで、二次転写部９８に送り出される。
【００３９】
連結筐体２３の内部には、定着ユニット９７と排紙ユニット９６とが収納されている。定着ユニット９７は、定着ローラーと加圧ローラーとを含み、二次転写部９８においてトナー像が二次転写されたシートを加熱及び加圧することで、定着処理を施す。定着処理されたカラー画像付のシートは、定着ユニット９７の下流に配置されている排紙ユニット９６により、排出口９６１から胴内排紙部２４に向けて排出される。
【００４０】
画像読取装置２２は、第１コンタクトガラス２２２および第２コンタクトガラス２２３（いずれも載置板）と、読取ユニット２２４と、を備える。第１コンタクトガラス２２２および第２コンタクトガラス２２３は、前記上部筐体２２０の上面２２１に嵌め込まれた透明な板状ガラスである。第１コンタクトガラス２２２は、自動原稿給送装置（ＡＤＦ、図示せず）が画像読取装置２２上に配置される場合に、ＡＤＦから自動給送される原稿シートの読取用に設けられている。第２コンタクトガラス２２３は、手置きされる原稿シートの読取用に設けられている。
【００４１】
読取ユニット２２４は、上部筐体２２０の内部において不図示の移動部によって移動可能とされる。読取ユニット２２４は、主走査方向（前後方向）に沿って延設されるユニットであり、副走査方向（左右方向）に沿って移動可能とされる。読取ユニット２２４は、原稿シートの原稿画像を読み取る機能を備える。
【００４２】
詳しくは、読取ユニット２２４は、第１コンタクトガラス２２２及び第２コンタクトガラス２２３の下面に沿って、左右方向に往復移動する（図１の矢印参照）。読取ユニット２２４は、原稿シートが図略の自動原稿給送装置から自動給送される自動給送モードのとき、第１コンタクトガラス２２２の直下に移動し、静止状態となる。この静止状態において、後記の照明ユニット５０から原稿シートに向けて光が発せられる。一方、原稿シートが第２コンタクトガラス２２３上に載置される手置きモードのとき、読取ユニット２２４は、第２コンタクトガラス２２３の左端直下から原稿シートのサイズに応じて右方へ移動する。この移動の際に、照明ユニット５０から原稿シートに向けて光が発せられる。
【００４３】
続いて、本発明の実施形態に係る読取ユニット２２４の構造について詳述する。図２は、本実施形態に係る照明ユニット５０の斜視図である。図３および図４は、本実施形態に係る読取ユニット２２４の一部の分解斜視図である。図５は、読取ユニット２２４の分解斜視図である。また、図６は、読取ユニット２２４の断面図である。
【００４４】
読取ユニット２２４は、ユニットハウジング６０（図４）と、図５に示すように、照明ユニット５０（光源ユニット）と、第１ミラー７１（光学素子、ミラー）と、第２ミラー７２と、第３ミラー７３と、第４ミラー７４と、レンズ７５と、ＣＣＤ７６（撮像素子）とを備える。
【００４５】
ユニットハウジング６０は、読取ユニット２２４の外観を画定する。図５を参照して、ユニットハウジング６０は、略直方体形状からなる。ユニットハウジング６０は、ハウジング蓋部６１（蓋部材、アパーチャー部材）およびハウジング本体６２（ハウジング）を備える。ハウジング本体６２は、ユニットハウジング６０の本体部分である。ハウジング蓋部６１は、ハウジング本体６２の上方を覆う蓋部材である。
【００４６】
ハウジング本体６２は、上部が開放された形状を備える箱型部材である。ハウジング本体６２の内部に読取ユニット２２４を構成する各部材が配置される。図３を参照して、ハウジング本体６２は、第１円筒部６２１（位置決め部）と、第１締結部６２２と、第２円筒部６２３（位置決め部）と、シャフト軸受部６２４と、を備える。
【００４７】
第１円筒部６２１は、ハウジング本体６２の内部のうち、左右方向の中央部であって、前後方向においてハウジング本体６２の後端部に配置される。第１円筒部６２１は、ハウジング本体６２の主走査方向（前後方向）の一端側（後端側）において、ハウジング本体６２から上方に向かって突設される円筒部材である。また、第１円筒部６２１は、上方に開放される中空状の内部空間を備える。
【００４８】
第１締結部６２２は、第１円筒部６２１の右側において、ハウジング本体６２に開口されるネジ穴である。後記の照明ユニット５０の第２締結部５１５が第１締結部６２２に対向して配置される。
【００４９】
第２円筒部６２３は、ハウジング本体６２の内部のうち、左右方向の中央部であって、前後方向においてハウジング本体６２の前端部に配置される。第２円筒部６２３は、ハウジング本体６２の主走査方向の他端側（前端側）において、ハウジング本体６２から上方に向かって突設される円筒部材である。なお、図３および図４に示すように、第２円筒部６２３の外周部のうち左方および右方の一部は、それぞれ主走査方向沿った面によって切り込まれたＤ面形状からなる。また、第２円筒部６２３も、上方に開放される中空状の内部空間を備える。そして、第１円筒部６２１および第２円筒部６２３は、ハウジング本体６２の主走査方向（前後方向）の一端側および他端側に配置された一対の位置決め部として機能する。
【００５０】
シャフト軸受部６２４は、ハウジング本体６２の後端部において、ハウジング本体６２を左右方向に貫通して形成される円筒状の開口部である。シャフト軸受部６２４には、読取ユニット２２４を副走査方向（左右方向）に移動させるための不図示の駆動シャフトが挿通される（図１０のシャフト８９参照）。
【００５１】
また、図４を参照して、ハウジング本体６２は、第１爪部６２５と、第２爪部６２６と、第３爪部６２７と、第４係合部６２８（図３）と、を備える。
【００５２】
第１爪部６２５は、ハウジング本体６２の左側の側縁の後方部分において、左方に向かって突設される一対の突片である。第１爪部６２５は、後記のハウジング蓋部６１の第１係合部６１５に係合する。第２爪部６２６は、ハウジング本体６２の左側の側縁の前方部分において、左方に向かって突設される一対の突片である。第２爪部６２６は、後記のハウジング蓋部６１の第２係合部６１６に係合する。第３爪部６２７は、ハウジング本体６２の前側の側面において、前方に向かって突設される突片である。第３爪部６２７は、後記のハウジング蓋部６１の第３係合部６１７に係合する。第４係合部６２８（図３）は、ハウジング本体６２の右側の側面の前後方向の中央部に開口される開口部である。第４係合部６２８には、後記の照明ユニット５０のフレーム係合部５１１Ｂ（図６）が係合する。
【００５３】
更に、ハウジング本体６２は、第１支持部６２０Ａと、第２支持部６２０Ｂと、第３支持部６２０Ｃと、第４支持部６２０Ｄとを備える。
【００５４】
第１支持部６２０Ａは、ハウジング本体６２の後端部において、ハウジング本体６２の底部６２Ｔの上方に所定の間隔をおいて配置される板状部材である。図４および図６を参照して、第１支持部６２０Ａは、右方から左方に向かって先下がりに傾斜して配置される。同様に、第２支持部６２０Ｂは、ハウジング本体６２の前端部において、ハウジング本体６２の底部６２Ｔの上方に所定の間隔をおいて配置される板状部材である。第２支持部６２０Ｂも、右方から左方に向かって先下がりに傾斜して配置される。第１支持部６２０Ａおよび第２支持部６２０Ｂは、後記の第１ミラー７１を支持する。
【００５５】
第３支持部６２０Ｃは、第１支持部６２０Ａの左方かつ僅かに前方において、底部６２Ｔから上方に向かって突設される板状部材である。同様に、第４支持部６２０Ｄは、第２支持部６２０Ｂの左方かつ僅かに後方において、底部６２Ｔから上方に向かって突設される板状部材である。第３支持部６２０Ｃおよび第４支持部６２０Ｄの左側の側縁は、右方から左方に向かって先下がりに傾斜して配置される。第３支持部６２０Ｃおよび第４支持部６２０Ｄは、後記の第２ミラー７２を支持する。なお、第１支持部６２０Ａ、第２支持部６２０Ｂ、第３支持部６２０Ｃ及び第４支持部６２０Ｄは、ハウジング本体６２と一体的に成型される。
【００５６】
ハウジング蓋部６１は、ハウジング本体６２の上部に装着される。ハウジング蓋部６１は、左右方向に所定の幅をもって前後方向に延伸される板状部材である。なお、図５および図６に示すように、ハウジング蓋部６１は、ハウジング本体６２の左右方向の中央部から左端部にかけて、ハウジング本体６２の上方を覆う。この際、ハウジング本体６２の右端部側には、後記の照明ユニット５０が固定される。そして、ハウジング蓋部６１と照明ユニット５０との間には、アパーチャーＡＰが形成される。アパーチャーＡＰは、第１コンタクトガラス２２２及び第２コンタクトガラス２２３上の原稿シート（被照射物）によって反射された光（Ｌ）が通過する開口部である。本実施形態では、ハウジング蓋部６１は、ハウジング本体６２に固定されることで、アパーチャーＡＰの少なくとも一部を形成するアパーチャー部材としても機能する。
【００５７】
更に、ハウジング蓋部６１は、第１開口部６１１（孔部）と、第２開口部６１２（孔部）と、退避スリット６１３と、アパーチャー壁部６１４（端縁）と、第１係合部６１５と、第２係合部６１６と、第３係合部６１７とを備える。
【００５８】
第１開口部６１１および第２開口部６１２は、ハウジング蓋部６１に配置される一対の孔部である。第１開口部６１１は、ハウジング蓋部６１の後端部（一端側）において、円形に開口される孔部である。第２開口部６１２は、ハウジング蓋部６１の前端部（他端側）において、同様に、円形に開口される孔部である。第１開口部６１１は、後記の照明ユニット５０の第１規制部５１４に外嵌される。また、第２開口部６１２は、照明ユニット５０の第２規制部５１６に外嵌される。
【００５９】
退避スリット６１３は、ハウジング蓋部６１の左側端部において、前後方向に延設されるスリットである。退避スリット６１３は、ハウジング蓋部６１がハウジング本体６２に固定された際に、ハウジング蓋部６１と後記の第２ミラー７２とが干渉することを防止するために形成された逃げ穴である。
【００６０】
アパーチャー壁部６１４は、ハウジング蓋部６１の右側部において前後方向に延伸される端縁である。アパーチャー壁部６１４は、前記アパーチャーＡＰの左側部分を画定する。
【００６１】
第１係合部６１５は、ハウジング蓋部６１の左側縁の後方部分から下方に向かって突設された突片に開口される。第１係合部６１５は、前述の第１爪部６２５と係合される。また、第２係合部６１６は、ハウジング蓋部６１の左側縁の前方部分から下方に向かって突設された突片に開口される。第２係合部６１６は、前述の第２爪部６２６と係合される。第３係合部６１７は、ハウジング蓋部６１の前側の側縁から下方に向かって突設された突片に開口される。第３係合部６１７は、前述の第３爪部６２７と係合される。
【００６２】
照明ユニット５０は、ハウジング本体６２に固定されるユニットである。図２を参照して、照明ユニット５０は、反射フレーム５１と、ＬＥＤ基板５２と、導光体５３と、を備える。
【００６３】
反射フレーム５１は、ＬＥＤ基板５２および導光体５３を支持する部材である。反射フレーム５１は、前後方向に延設される板状部材である。反射フレーム５１は、上面視で、左方に向かって開口される略コの字型形状からなる。反射フレーム５１は、フレーム部５１１と、後方固定部５１２と、前方固定部５１３と、を備える。
【００６４】
フレーム部５１１は、棒状の導光体５３を下方から支持する。図６を参照して、フレーム部５１１は、反射部５１１Ａと、フレーム係合部５１１Ｂとを備える。反射部５１１Ａは、フレーム部５１１の左端部が略Ｕ字型に湾曲された部分である。反射部５１１Ａは、導光体５３を下方から囲むように配置される。詳しくは、反射部５１１Ａは、主走査方向と交差する断面視（図６）において、導光体５３の後記の出射面５３１の反対側で導光体５３を覆う。フレーム係合部５１１Ｂは、フレーム部５１１の右端部であって、前後方向の中央部から下方に向かって突設される突片である。フレーム係合部５１１Ｂはスナップフィットとして機能し、前述のハウジング本体６２の第４係合部６２８に係合する。
【００６５】
後方固定部５１２は、フレーム部５１１の後端部から左方に向かって延設される。後方固定部５１２は、上面視で略正方形形状の板状部分である。図２に示すように、後方固定部５１２の後端縁から上方に向かって立設される側壁部分に、導光体５３の後端部が支持される。また、前記側壁の後側に、後記のＬＥＤ基板５２が装着される。ＬＥＤ基板５２は、第１規制部５１４と、第２締結部５１５とを備える。
【００６６】
第１規制部５１４は、後方固定部５１２から上方に向かって突設された円筒部材である。第１規制部５１４は、前述の第１円筒部６２１に外嵌される。詳しくは、第１規制部５１４は、第１内周部５１４Ａ（内周部）と、第１外周部５１４Ｂ（外周部）と、第１挿入空間５１４Ｓとを備える。第１内周部５１４Ａは、第１規制部５１４の内周部であり、第１外周部５１４Ｂは、第１規制部５１４の外周部である。そして、第１内周部５１４Ａの内側に中空状の第１挿入空間５１４Ｓが形成されている。第１挿入空間５１４Ｓに第１円筒部６２１が挿入される。第２締結部５１５は、第１規制部５１４の右側において、後方固定部５１２に開口される円形状のネジ穴である。
【００６７】
前方固定部５１３は、フレーム部５１１の前端部から左方に向かって延設される。前方固定部５１３は、上面視で略長方形形状の板状部分である。図２に示すように、前方固定部５１３の前端縁から上方に向かって立設される側壁部分に、導光体５３の前端部が支持される。前方固定部５１３は、第２規制部５１６を備える。
【００６８】
第２規制部５１６は、前方固定部５１３から上方に向かって突設される。第２規制部５１６は、前述の第２円筒部６２３に外嵌される。第２規制部５１６は、前方固定部５１３に開口された略円形状の孔部と前記孔部の縁から上方に向かって突設された一対の支持突起５１６Ｔとを備える。支持突起５１６Ｔは、前述の第２円筒部６２３のＤ面部に対応して配置される。支持突起５１６Ｔは、第２内周部５１６Ａ（内周部）と、第２外周部５１６Ｂ（外周部）とを備える。一対の支持突起５１６Ｔの間に第２挿入空間５１６Ｓが形成される。なお、第２規制部５１６は、第１規制部５１４と同様に、外周部と内周部とを備えた円筒部材であってもよい。また、上記の第２規制部５１６について換言すれば、第２規制部５１６は、第１規制部５１４と同様の円筒状の部材であって、一対の支持突起５１６Ｔを除く他の外周部が部分的に切りかかれた形状に相当する。そして、第１規制部５１４および第２規制部５１６は、上記のように、それぞれ内周部と外周部とを含み、照明ユニット５０の主走査方向の一端側および他端側に配置される一対の円筒状の規制部として機能する。
【００６９】
ＬＥＤ基板５２は、後方固定部５１２の後側に固定される。ＬＥＤ基板５２は、ＬＥＤ（Light Emitting Diode）５２Ａ（発光素子）を備える。ＬＥＤ５２Ａは、棒状の導光体５３の後側の端面（入射面）に対向して配置される。ＬＥＤ５２Ａから前方に向かって照射され、前記端面に入射した照射光は導光体５３の内部に進入する。ＬＥＤ５２Ａは、薄い円板状の形状を有し、白色光を発する。ＬＥＤ５２Ａとしては、例えば、青色光又は紫外光を発するＧａＮ系またはＩｎＧａＮ系半導体発光素子を、蛍光体入り透明樹脂で封入してなる高輝度ＬＥＤパッケージを用いることができる。
【００７０】
導光体５３は、ＬＥＤ５２Ａから発せられた照明光を伝搬すると共に、ライン状の照明光に変換して出射する。導光体５３は、アクリル樹脂などの透光性の樹脂材料によって成形され、主走査方向に長い棒状の形状からなる。導光体５３は、不図示の前記入射面と、出射面５３１とを備える（図２）。入射面は、導光体５３の後側の端部において、主走査方向に面して形成される。出射面５３１は、主走査方向に沿って延設され、前記主走査方向と交差する方向（左方かつ上方に向かう方向、図６の矢印ＤＬ参照）に前記光を出射する。前記光は、原稿シートに向かって出射される。
【００７１】
なお、上記のＬＥＤ５２Ａおよび導光体５３によって、光源５０Ａ（図２）が構成される。光源５０Ａは、主走査方向に沿って長いライン状の照明光（光）を、被照射物としての原稿シートに向かって照射する。具体的には、光源５０Ａは、第１コンタクトガラス２２２上を通過する自動給送の原稿シート若しくは第２コンタクトガラス２２３上に載置される手置きの原稿シートに向けて、原稿画像の光学的な読み取りのために照明光を発する。この際、光源５０Ａは、第１コンタクトガラス２２２若しくは第２コンタクトガラス２２３（載置板）に配置された原稿シート（被照射物）を焦点として光を照射する。
【００７２】
第１ミラー７１、第２ミラー７２、第３ミラー７３および第４ミラー７４は、図６に示すように、ハウジング本体６２の内部に固定され、光を反射させるミラー（光学素子）である。これらのミラーは、ユニットハウジング６０内に光路Ｌを形成するミラーである。原稿シートによって反射された光は、アパーチャーＡＰを通過しながら、下方に向かってユニットハウジング６０の内部に入光する。そして、前記光は、第１ミラー７１、第２ミラー７２、第３ミラー７３、第４ミラー７４によって順に反射された後、レンズ７５に導かれる。レンズ７５は、第４ミラー７４において反射された反射光の光像を、ＣＣＤ７６の撮像面に結像させる。
【００７３】
ＣＣＤ（charge coupled device）７６は、前記光路Ｌ上に配置され、前記ミラーによって反射され、レンズ７５によって結像された光を受光して、画像データとしての電気信号に変換する。詳しくは、ＣＣＤ７６は、原稿シートからの反射光を受光してアナログ電気信号に光電変換する。このアナログ電気信号は、Ａ／Ｄ変換回路（図略）によってデジタル電気信号に変換された後、上述の露光ユニット９４に画像データとして入力される。
【００７４】
かくして、照明ユニット５０の光源５０Ａから原稿シートに向かって照射され、該原稿シートによって反射された光が、ＣＣＤ７６に至るまでの所定の光路Ｌが、図６に示すようにユニットハウジング６０内に形成される。
【００７５】
本実施形態では、光源５０Ａは照明ユニット５０に支持される。また、アパーチャーＡＰは、アパーチャー部材としての機能を備えるハウジング蓋部６１によって画定される。図３を参照して、照明ユニット５０がユニットハウジング６０のハウジング本体６２に固定されるにあたり、照明ユニット５０は、第１円筒部６２１および第２円筒部６２３においてハウジング本体６２に位置決めされる。詳しくは、照明ユニット５０の第１規制部５１４の第１内周部５１４Ａが、ハウジング本体６２の第１円筒部６２１に外嵌される。同様に、照明ユニット５０の第２規制部５１６の第２内周部５１６Ａが、ハウジング本体６２の第２円筒部６２３に外嵌される。また、補完的に、照明ユニット５０のフレーム係合部５１１Ｂ（図６）が、ハウジング本体６２の第４係合部６２８に係合される。その後、第２締結部５１５に上方から挿通された不図示のスクリューが、第１締結部６２２に締結される。この結果、ユニットハウジング６０に対する光源５０Ａの位置が決定される。
【００７６】
更に、ハウジング蓋部６１がハウジング本体６２に固定されるにあたり、第１円筒部６２１および第２円筒部６２３において、ハウジング蓋部６１がハウジング本体６２に位置決めされる。詳しくは、ハウジング蓋部６１の第１開口部６１１が、第１円筒部６２１に外嵌された第１規制部５１４の第１外周部５１４Ｂに外嵌される。同様に、ハウジング蓋部６１の第２開口部６１２が、第２円筒部６２３に外嵌された第２規制部５１６の第２外周部５１６Ｂに外嵌される。また、補完的に、ハウジング蓋部６１の第１係合部６１５、第２係合部６１６および第３係合部６１７が、それぞれ、ハウジング本体６２の第１爪部６２５、第２爪部６２６および第３爪部６２７と係合される（図４）。この結果、ハウジング本体６２に対するハウジング蓋部６１の位置が決定される。なお、ハウジング本体６２に、照明ユニット５０およびハウジング蓋部６１が装着されると、図５に示すように、ハウジング蓋部６１の第１開口部６１１および第２開口部６１２を介して、第１円筒部６２１および第２円筒部６２３がユニットハウジング６０の外部に露出する。
【００７７】
このように、本実施形態では、照明ユニット５０およびハウジング蓋部６１が、それぞれ第１円筒部６２１および第２円筒部６２３において、ハウジング本体６２に固定されることで、前記光路Ｌに対する光源５０ＡおよびアパーチャーＡＰの位置が規制される。したがって、光源５０ＡおよびアパーチャーＡＰが共通の位置決め部において位置決めされるため、光源５０ＡとアパーチャーＡＰとの相対的な位置精度が安定して維持される。換言すれば、光源５０ＡおよびアパーチャーＡＰが異なる位置決め部によってそれぞれ位置決めされた場合、各位置決め部の累積交差を含んだ状態で、光源５０ＡとアパーチャーＡＰとの相対的な位置が決定される。この結果、光源５０ＡおよびアパーチャーＡＰの相対的な位置精度が本実施形態と比較して低下してしまう。
【００７８】
また、上記のように、光源５０Ａがハウジング蓋部６１とは別の部材によって支持されるため、光源５０ＡおよびアパーチャーＡＰの全域が同じ部材によって支持および画定される場合と比較して、光源５０ＡおよびアパーチャーＡＰのうちの一方の位置決めが優先され他方の位置精度が悪化することが抑制される。したがって、所定の光路Ｌに対する光源５０ＡおよびアパーチャーＡＰのそれぞれの位置精度が安定して維持される。
【００７９】
特に、本実施形態では、第１規制部５１４および第２規制部５１６が、それぞれ第１円筒部６２１および第２円筒部６２３に外嵌され、第１開口部６１１および第２開口部６１２がそれぞれ第１規制部５１４よび第２規制部５１６に外嵌されることによって、照明ユニット５０およびハウジング蓋部６１がハウジング本体６２に固定される。このため、照明ユニット５０およびハウジング蓋部６１の簡易な構成によって、光源５０ＡおよびアパーチャーＡＰが共通の位置決め部においてハウジング本体６２に対して位置決めされる。また、一対の円筒部材（第１円筒部６２１、第２円筒部６２３）、規制部（第１規制部５１４、第２規制部５１６）および孔部（第１開口部６１１、第２開口部６１２）が、それぞれ同軸上に配置されるため、光源５０ＡおよびアパーチャーＡＰの位置精度が好適に向上される。
【００８０】
なお、図６を参照して、前述のように、本実施形態では、ハウジング蓋部６１がアパーチャーＡＰを形成する機能を兼ね備える。更に、ハウジング蓋部６１の右方には、導光体５３がアパーチャー壁部６１４に対向するように、照明ユニット５０が配置されている。そして、照明ユニット５０のフレーム部５１１もまた、ハウジング本体６２の上方部分を覆う蓋部の機能を兼ね備えている。この結果、照明ユニット５０およびハウジング蓋部６１によってハウジング本体６２の上方部分が覆われるとともに、アパーチャーＡＰを形成することが可能となる。また、フレーム部５１１の一部である反射部５１１Ａによって、前記入射面から導光体５３の内部に進入した光を出射面５３１に向かって反射させることができる。
【００８１】
次に、図６に加え、図７および図８を参照して、ユニットハウジング６０に対する各ミラーの固定について説明する。図７は、ハウジング本体６２の第１支持部６２０Ａ周辺の断面図である。また、図８は、図７の一部を更に拡大した断面図である。ここでは、ユニットハウジング６０に対する第１ミラー７１の固定および位置決めについて説明するが、他のミラーにおいても同様である。
【００８２】
前述のように、第１ミラー７１は、第１支持部６２０Ａおよび第２支持部６２０Ｂ（いずれも支持部）によって支持される。詳しくは、第１ミラー７１は、第１支持部６２０Ａおよび第２支持部６２０Ｂの下面側に固定される。第１支持部６２０Ａは、第１１突起部６２０Ａ１および第１２突起部６２０Ａ２（いずれも当接部）を備える。第１１突起部６２０Ａ１および第１２突起部６２０Ａ２は、第１支持部６２０Ａの下面から突設された突起部である。図８に示すように、第１１突起部６２０Ａ１および第１２突起部６２０Ａ２は、第１ミラー７１の反射面である第１ミラー面７１１と平行な端面を備える。そして、前記端面と第１ミラー面７１１とが接着されることで、第１ミラー７１が第１支持部６２０Ａに固定される。本実施形態では、第１１突起部６２０Ａ１および第１２突起部６２０Ａ２の前記端面の位置は、前述の第１円筒部６２１を基準に設定されている。詳しくは、第１円筒部６２１の上面部と第１円筒部６２１の円筒軸との交点を基準として、ハウジング本体６２における前記端面の位置が規定されている。
【００８３】
図７を参照して、円筒形状からなる第１円筒部６２１の上面部６２１Ｆを含む平面が第１基準面Ｆ１と定義される。また、第１円筒部６２１の円筒軸を含む平面が第２基準面Ｆ２と定義される。そして、第１基準面Ｆ１と第２基準面Ｆ２との交点である基準位置Ｆ３を基準として、第１１突起部６２０Ａ１および第１２突起部６２０Ａ２の前記端面の位置が設定される。より詳しくは、予め、第１基準面Ｆ１に対して設定された角度が基準角度θと定義される。そして、基準位置Ｆ３を通り、第１基準面Ｆ１に対して基準角度θをなす基準直線Ｌθから距離Ｒだけ離れ、基準直線Ｌθと平行な平面上に、第１１突起部６２０Ａ１および第１２突起部６２０Ａ２の前記端面の位置が設定される。このように、ハウジング本体６２が成型されるにあたり、基準角度θおよび距離Ｒが予め設計図面に指示されることによって、第１円筒部６２１を基準として第１ミラー面７１１が位置決めされる。
【００８４】
一方、第２支持部６２０Ｂの下面には、第１１突起部６２０Ａ１および第１２突起部６２０Ａ２と同様の突起部（不図示）が１つ配置されている。該突起部の端面の位置も同様に第２円筒部６２３を基準に予め設定されている。そして、第１ミラー面７１１の前側端部が、同様に、前記突起部の端面に接着固定される。この結果、第１ミラー７１が、前後の３箇所において、ハウジング本体６２に固定される。そして、他のミラーも同様に第１円筒部６２１および第２円筒部６２３を基準として、ハウジング本体６２に対して位置決めされる。図３および図６を参照して、第２ミラー７２の反射面である第２ミラー面７２１が、第３支持部６２０Ｃから突設された第３１突起部６２０Ｃ１および第３２突起部６２０Ｃ２、更に、第４支持部６２０Ｄから突設された第４１突起部６２０Ｄ１に当接および接着される。この結果、第２ミラー７２が前後の３箇所においてハウジング本体６２に固定される。この際、第３１突起部６２０Ｃ１、第３２突起部６２０Ｃ２および第４１突起部６２０Ｄ１の第２ミラー面７２１に当接する端面の位置も、第１円筒部６２１および第２円筒部６２３を基準として予め設定されている。
【００８５】
このように、本実施形態では、ハウジング本体６２に対する照明ユニット５０およびハウジング蓋部６１の位置を規制する位置決め部（第１円筒部６２１、第２円筒部６２３）を利用して、各ミラーのハウジング本体６２に対する位置決めを実現することができる。この結果、前記光路Ｌに対する各ミラーの位置が安定して維持される。また、光源５０Ａ、アパーチャーＡＰおよび各ミラーの相対的な位置精度が安定して維持される。なお、第１円筒部６２１および第２円筒部６２３に基づいて位置決めされるミラーは、上記の各ミラーのうちの何れかであってもよい。また、第１円筒部６２１および第２円筒部６２３の何れか一方を基準として、ミラーの前後の両方の位置が位置決めされる態様であってもよい。
【００８６】
更に、図９は、本実施形態に係る読取ユニット２２４の組み立て後の出荷検査段階において、読取ユニット２２４が調整冶具プレート８に装着される様子を示した斜視図である。調整冶具プレート８（調整治具）は、金属製のプレートである。前記出荷検査段階では、読取ユニット２２４において、光路Ｌに対するレンズ７５およびＣＣＤ７６の位置が調整される。調整冶具プレート８は、調整用原稿８１と、第１調整用位置決めピン８２および第２調整用位置決めピン８３（いずれも位置決めピン）とを備える。調整用原稿８１は、前記出荷検査用の画像が予め形成された固定原稿である。第１調整用位置決めピン８２および第２調整用位置決めピン８３は、調整用原稿８１の右方において、調整冶具プレート８から突設される一対の位置決めピンである。第１調整用位置決めピン８２および第２調整用位置決めピン８３は、予め高い精度をもって調整用原稿８１に対する位置が設定されている。
【００８７】
そして、本実施形態では、調整冶具プレート８に対するハウジング６０の位置が、第１円筒部６２１および第２円筒部６２３によって規制される。詳しくは、図９を参照して、読取ユニット２２４のアパーチャーＡＰが、調整冶具プレート８の調整用原稿８１に対向するように、読取ユニット２２４の天地が反転された状態で、読取ユニット２２４が調整冶具プレート８に装着される（図９の矢印ＤＭ）。この際、読取ユニット２２４の第１円筒部６２１に第１調整用位置決めピン８２が挿入され、第２円筒部６２３に第２調整用位置決めピン８３が挿入される。前記円筒部の内径と位置決めピンの外径とは予め所定の嵌め合いとなるように設定されている。この結果、調整冶具プレート８に対する読取ユニット２２４の位置が規制される。そして、光源５０Ａから照射された光は、調整用原稿８１によって反射された後、読取ユニット２２４のＣＣＤ７６によって受光される。不図示の検査制御部によって、ＣＣＤ７６から出力される画像データが検査される。そして、前記画像データの検査結果（画像の傾き、焦点不良、ゆがみ）に応じて、レンズ７５の位置が図６の矢印ＤＲ方向において調整される。また、ＣＣＤ７６の位置が、図６の矢印ＤＣ１およびＤＣ２方向において調整される。
【００８８】
このように、本実施形態によれば、ハウジング６０に対する照明ユニット５０およびハウジング蓋部６１の位置を規制する位置決め部を利用して、調整冶具プレート８に対するハウジング６０の位置決めを実現することができる。このため、前記光路Ｌに対するレンズ７５およびＣＣＤ７６の位置が安定して調整される。また、光源５０Ａ、アパーチャーＡＰと、レンズ７５またはＣＣＤ７６との相対的な位置精度が安定して維持される。さらに、一対の円筒部材（第１円筒部６２１、第２円筒部６２３）、規制部（第１規制部５１４、第２規制部５１６）、孔部（第１開口部６１１、第２開口部６１２）および第１調整用位置決めピン８２、第２調整用位置決めピン８３がそれぞれ同軸上に配置される。この結果、前記光路Ｌに対するレンズ７５またはＣＣＤ７６の位置が更に安定して調整される。また、光源５０Ａ、アパーチャーＡＰと、レンズ７５またはＣＣＤ７６との相対的な位置精度が更に安定して維持される。
【００８９】
以上、本発明の好ましい実施形態を説明したが、本発明はこれに限定されるものではなく、例えば次のような変形実施形態を採ることができる。
【００９０】
（１）上記の実施形態では、第１円筒部６２１および第２円筒部６２３が、光源５０Ａ、アパーチャーＡＰおよび各ミラーの位置を規定する位置決め部として機能する態様にて説明したが、本発明はこれに限定されるものではない。図１０は、本発明の変形実施形態に係るハウジング本体８５の断面図である。ハウジング本体８５は、上部筐体２２０（図１）の内部において、主走査方向（前後方向）と交差する副走査方向（左右方向）に移動可能とされる。ハウジング本体８５は、支持ハウジング８７（第２ハウジング）と、ガイドユニット８８（第１ハウジング）とを備える。支持ハウジング８７には、先の実施形態と同様に、不図示の照明ユニットおよびハウジング蓋部が固定される。支持ハウジング８７は、第３円筒部８７１、第３締結部８７２および第４円筒部８７３を備える。第３円筒部８７１および第４円筒部８７３は、先の実施形態の第１円筒部６２１および第２円筒部６２３に相当する。すなわち、第３円筒部８７１および第４円筒部８７３は、不図示の照明ユニットおよびハウジング蓋部の位置決め機能を備える。第３結部８７２は、先の実施形態の第１締結部６２２に相当し、不図示のスクリューが締結されるネジ穴である。
【００９１】
ガイドユニット８８は、先の実施形態のハウジング本体６２においてシャフト軸受部６２４（図４）の周辺が別体となったユニットである。図１０を参照して、第１領域８７Ｓに示す部分が支持ハウジング８７であり、第２領域８８Ｓに示す部分がガイドユニット８８である。ガイドユニット８８は、シャフト８９を軸支する不図示の軸受部を含む。シャフト８９は、副走査方向（左右方向）に延設され、ハウジング本体８５の移動をガイドする。ハウジング本体８５はシャフト８９に沿って副走査方向（左右方向）に移動可能とされる。
【００９２】
そして、本変形実施形態では、支持ハウジング８７が、第３円筒部８７１を支点として、前記主走査方向および前記副走査方向を含む平面に沿ってガイドユニット８８に対して回動可能とされる。ガイドユニット８８は、第５円筒部８８１と、調整用長穴８８２とを備える。第５円筒部８８１は、支持ハウジング８７の第３円筒部８７１に外嵌される。調整用長穴８８２は、第３締結部８７２に対向して配置される長穴である。第５円筒部８８１が第３円筒部８７１に外嵌された状態で、図１０の矢印ＤＰに示すように、支持ハウジング８７が回動可能とされる。そして、シャフト８９の軸方向と、支持ハウジング８７に装着された光源の長手方向（先の実施形態における導光体５３の長手方向）とが直交するように、ガイドユニット８８に対する支持ハウジング８７の位置が調整された状態で、不図示のスクリューが第３締結部８７２および調整用長穴８８２に締結される。この結果、ハウジング本体８５における主走査方向と副走査方向との直角度が調整可能とされる。このような変形実施形態によれば、ハウジング本体８５に対する不図示の照明ユニット（光源ユニット）およびアパーチャー部材の位置を規制する位置決め部の一方（第３円筒部８７１）を利用して、画像読取装置の主走査方向と副走査方向との直角度を調整することができる。
【００９３】
（２）また、第１円筒部６２１および第２円筒部６２３に代表される位置決め部は、照明ユニット５０およびアパーチャー部材の位置決めを兼ね備える態様であればよく、ミラーの位置決め機能などその他の機能を備えない態様であってもよい。更に、上記の何れか２つの位置決め機能が共通化された構成であってもよい。また、照明ユニット５０の光源５０Ａは、ＬＥＤ５２Ａおよび導光体５３の組み合わせに限定されるものではない。
【符号の説明】
【００９４】
１  画像形成装置
２  装置本体
８  調整冶具プレート（調整治具）
２１  下部筐体
２２  画像読取装置
２３  連結筐体
２４  胴内排紙部
５０  照明ユニット（光源ユニット）
５０Ａ  光源
５１  反射フレーム
５２  ＬＥＤ基板
５２Ａ  ＬＥＤ
５３  導光体
６０  ユニットハウジング
６１  ハウジング蓋部（アパーチャー部材、蓋部材）
６２、８５  ハウジング本体（ハウジング）
６２Ｔ  底部
７１  第１ミラー（光学素子、ミラー）
７２  第２ミラー
７３  第３ミラー
７４  第４ミラー
７５  レンズ
７６  ＣＣＤ（撮像素子）
８１  調整用原稿
８２  第１調整用位置決めピン（位置決めピン）
８３  第２調整用位置決めピン（位置決めピン）
８７  支持ハウジング（第２ハウジング）
８８  ガイドユニット（第１ハウジング）
８９  シャフト
９３  画像形成部
２２０  上部筐体（筐体）
２２１  上面
２２２  第１コンタクトガラス（載置板）
２２３  第２コンタクトガラス（載置板）
２２４  読取ユニット
５１１  フレーム部
５１１Ａ  反射部
５１１Ｂ  フレーム係合部
５１２  後方固定部
５１３  前方固定部
５１４  第１規制部
５１４Ａ  第１内周部（内周部）
５１４Ｂ  第１外周部（外周部）
５１４Ｓ  第１挿入空間
５１５  第２締結部
５１６  第２規制部
５１６Ａ  第２内周部（内周部）
５１６Ｂ  第２外周部（外周部）
５１６Ｓ  第２挿入空間
５１６Ｔ  支持突起
５３１  出射面
６１１  第１開口部（孔部）
６１２  第２開口部（孔部）
６１３  退避スリット
６１４  アパーチャー壁部
６１５  第１係合部
６１６  第２係合部
６１７  第３係合部
６２０Ａ  第１支持部（支持部）
６２０Ａ１  第１１突起部（当接部）
６２０Ａ２  第１２突起部（当接部）
６２０Ｂ  第２支持部
６２０Ｃ  第３支持部
６２０Ｃ１  第３１突起部
６２０Ｃ２  第３２突起部
６２０Ｄ  第４支持部
６２０Ｄ１  第４１突起部
６２１  第１円筒部（位置決め部）
６２１Ｆ  上面部
６２２  第１締結部
６２３  第２円筒部（位置決め部）
６２４  シャフト軸受部
６２５  第１爪部
６２６  第２爪部
６２７  第３爪部
６２８  第４係合部
７１１  第１ミラー面
７２１  第２ミラー面
８７１  第３円筒部
８７２  第３締結部
８７３  第４円筒部
８８１  第５円筒部
８８２  調整用長穴
ＡＰ  アパーチャー
Ｆ１  第１基準面
Ｆ２  第２基準面
Ｆ３  基準位置（交点）
Ｌ  光路
Ｌθ  基準直線
θ  基準角度
【図１】
2014232970.tif 000003
【図２】
2014232970.tif 000004
【図３】
2014232970.tif 000005
【図４】
2014232970.tif 000006
【図５】
2014232970.tif 000007
【図６】
2014232970.tif 000008
【図７】
2014232970.tif 000009
【図８】
2014232970.tif 000010
【図９】
2014232970.tif 000011
【図１０】
2014232970.tif 000012